(57)【要約】【課題】マンホールの削孔部と筒状可とう継手との接続において、マンホールの壁厚や削孔径等によらないで、安定した接続状態を提供できる拡張バンドを得る。【解決手段】マンホールの削孔部と筒状可とう継手との接続に用いる拡張バンド１を提供する。拡張バンド１は、断面が略円形の棒状体２Ａにより形成される環状部材２と、環状部材２を拡径する拡径手段３とを具えてなる。環状部材２は、少なくとも１ヶ所に切断部２Ｂを有する。環状部材２は、マンホールの削孔部の内面に沿うような湾曲形状を有する。拡張バンド１は、拡径手段３によって、環状部材２の切断部２Ｂの隙間が拡大し、環状部材２が拡径される。拡張バンド１は、拡径の際には、剛性ガイド３Ａ内の環状部材２の切断部２Ｂ間にストッパー３Ｂが嵌込され、拡張状態が固定され、平面Ｃに対して上側に湾曲する。【選択図】図１
2006152653.tif 000002
【特許請求の範囲】
【請求項１】
マンホールの削孔部と筒状可とう継手との接続に用いる拡張バンドにおいて、
断面が略円形の棒状体により形成される環状部材と、前記環状部材を拡径する拡径手段とを具えてなり、前記環状部材が、少なくとも１ヶ所に切断部を有し、前記削孔部の内面に沿うような湾曲形状を有し、前記拡径手段によって、前記環状部材の前記切断部の隙間が拡大し、前記環状部材が拡径される、拡張バンド。
【請求項２】
前記拡径手段が剛性ガイド及びストッパーを備え、前記剛性ガイドが断面略Ｕ字状であり、少なくとも１本の前記環状部材が拡径される際、前記ストッパーが、前記剛性ガイド内の前記環状部材の切断部の両端部の間に挿入され、前記環状部材の拡径状態が保持される、請求項１記載の拡張バンド。
【請求項３】
マンホールの削孔部と筒状可とう継手とが拡張バンドによって接続されている接続構造において、
拡張バンドが、断面が略円形の棒状体により形成される環状部材と、前記環状部材を拡径する拡径手段とを具えてなり、前記環状部材が、少なくとも１ヶ所に切断部を有し、前記削孔部の内面に沿うような湾曲形状を有し、前記拡径手段によって、前記環状部材の前記切断部の隙間が拡大され、前記環状部材が拡径され、筒状可とう継手が前記削孔部の内面に固定されている、接続構造。
【請求項４】
前記筒状可とう継手が削孔側筒状部を備えており、前記削孔側筒状部の内面に溝部が設けられており、前記溝部が、前記削孔部の内面に沿うような湾曲形状を有しており、前記拡張バンドが前記溝部内で固定されている、請求項３記載の接続構造。
【発明の詳細な説明】
【技術分野】
【０００１】
本発明は、マンホールの削孔部と筒状可とう継手との接続に用いる拡張バンド、及びかかる拡張バンドを用いるマンホールの削孔部と筒状可とう継手との接続構造に関し、更に詳しくは、可とう継手をマンホール、特に、薄壁構造型マンホールの削孔部に固定するために用いる拡張バンド又はマンホール径に比して削孔径が大きく、通常の拡張バンドが適用できない場合に用いられる拡張バンド、及びかかる拡張バンドを用いて得られるマンホールと管との接続構造に関する。
【背景技術】
【０００２】
従来、マンホールと下水管等の管との接続部に対しては、コンクリートを打設し巻き立てる工法が行われていた。しかし、地盤沈下や地震等の地盤の歪で、管とマンホールの相対的位置が変位すると、コンクリート巻き立て部がひび割れしたり、破壊したりして、不明水の浸入や下水の漏水等が発生する欠点があった。
【０００３】
最近では、マンホールと本管の相対的位置が変位しても、その変位を吸収し、止水性も維持できる、ゴム製可とう継手が多く用いられるようになった（例えば、特許文献１参照）。また、薄壁構造形のマンホール等の側面孔用の可とう継手が考案されている（例えば、特許文献２参照）。
【特許文献１】実開平７−４５４７号公報
【特許文献２】特開２００３−２０６６６号公報
【発明の開示】
【発明が解決しようとする課題】
【０００４】
前述の特許文献１では、可とう継手は、マンホール削孔部に平面の拡張バンドで固定されている。他の従来の拡張バンドも、拡張方法や拡張状態を固定する方法は異なるが、押圧面が平面の帯状バンドを拡張するのが一般的である。図１０は、従来の１例のマンホールの接続構造の断面図である。図１１は、従来の１例の拡張バンドの断面図である。
【０００５】
図１０に示すように、マンホール接続構造１０１では、拡張バンドとしての拡張金具１０２によって、マンホール１０３の削孔部１０３Ａに、可とう継手１０４の取付けが行われる。また、図１１に示すように、拡径金具１０２は、平面リング状であり、削孔断面空間内で、折り曲げ金具１０２Ａを押し拡げ、可とう継手１０３を削孔部１２Ａに圧着固定する。かかる手法は、マンホールの壁厚が大きいか、削孔径が小さい場合、平面リング状の拡張バンドが削孔断面空間内よりはみ出すことなく、可とう継手を削孔面に拡張圧着し固定でき、安定した止水構造をとる。
【０００６】
しかしながら、マンホールの壁厚が薄い場合や、マンホール径に比して削孔径が大きい場合においては、平面リング状の拡張バンドが削孔断面空間内よりはみ出すため、拡張力がはみ出し部において抜け、また、可とう継手の圧着もできなくなる。よって、安定した止水構造がとれず、拡張バンドを安定した状態で適用できない。
【０００７】
特許文献２では、薄壁構造型マンホール等において、中筒を有する取付板を側面孔の内側に当て付けて、中筒を側面孔外に突出させ、中筒の外側より無端のリング状ワッシャー体を嵌付け、側面孔壁を取付板とワッシャー体とで挟みつけて取付板を固定し、中筒の先端部に、可とう継手を締め付けバンドで取り付けて、可とう性構造をとる。図１２はこの例のマンホール構造の断面図である。
【０００８】
なお、特許文献２のものは、特許文献１のような平面拡張バンドを用いないもので、特許文献１のような平面リング状バンドが使用できない場合、例えば、上述のように特許文献１の平面拡張バンドの欠点が現れる場合、すなわち、平面拡張バンドがマンホール削孔断面空間内に納まらず、はみ出し、拡張時にバンドが抜け出るような場合、特に、薄壁構造型マンホール等において顕著になるかかる平面拡張バンドの欠点を排除する場合に、有用なものである。つまり、特許文献２のものは、図１２に示すように、薄壁構造形マンホール２０１に、中筒２０５を有する取付板２０４を、側面孔２０６の内側に当て付け、中筒２０５を側面孔２０６外に突出させ、中筒２０５の外側よりワッシャー体２０７を嵌付けて、側面孔２０６の壁を、取付板２０４とワッシャー体２０７にて挟みつけ、取付板２０４を固定し、中筒２０５の先端部に可とう継手２０３を取付け、管２０２と薄壁構造形マンホール２０１間の止水可とう継手構造をとる。
【０００９】
特許文献２では、マンホール２０１の内面空間を取付板２０４が侵すため、設計流下量の見直しが必要であり、取付けも、マンホールの内側と外側とで作業することが必要で、煩雑であり、部品の複雑な加工を要し、コスト高になる欠点がある。
【００１０】
本発明の課題は、マンホールの削孔部と筒状可とう継手との接続において、マンホールの壁厚や削孔径等によらないで、安定した接続状態を提供できる拡張バンドを得ることである。
また、本発明の課題は、マンホールの削孔部と筒状可とう継手とが拡張バンドによって接続されている接続構造において、マンホールの壁厚や削孔径等によらないで、安定した接続状態を提供することである。
【課題を解決するための手段】
【００１１】
本発明は、マンホールの削孔部と筒状可とう継手との接続に用いる拡張バンドにおいて、断面が略円形の棒状体により形成される環状部材と、前記環状部材を拡径する拡径手段とを具えてなり、前記環状部材が、少なくとも１ヶ所に切断部を有し、前記削孔部の内面に沿うような湾曲形状を有し、前記拡径手段によって、前記環状部材の前記切断部の隙間が拡大し、前記環状部材が拡径される、拡張バンド及びかかる拡張バンドを用いる接続構造に係るものである。
【００１２】
本発明は、上記の問題点を解決するために開発したもので、拡張バンドが、断面略円形の棒状体より形成される所定の湾曲形状を有する環状部材を具えてなり、マンホールの削孔部と可とう継手との接続において、マンホールの壁厚や削孔径等によらないで、安定した接続状態を提供できるという知見に基づくものである。すなわち、本発明は、所定の拡張バンドが、可とう継手を、マンホール、特に、薄壁構造型マンホールの削孔部に固定するのに適し、また、マンホール径に比して削孔径が大きく通常の拡張バンドが適用できない場合等に用いるのにも適しているという知見に基づく。
【発明の効果】
【００１３】
本発明の拡張バンドは、断面略円形の棒状体より形成される所定の湾曲形状の環状部材を具えてなるので、マンホール径に比して大きな径の削孔部や薄壁構造型マンホールの削孔部においても、筒状可とう継手を安定した接続状態で固定することができる。
【発明を実施するための最良の形態】
【００１４】
本発明の実施をする形態について説明する。
（１）（マンホール）
マンホールは、特に制限されず、種々の形状、材質等のものが包含される。マンホールは、代表的には、筒状のものである。筒状とは、外周の壁部とその壁部に囲まれた内部空間とを有する形状をいう。筒状のマンホールには、外形又は内形の少なくとも１方において、断面が、楕円形、矩形、多角形等のものや、これらの組合せのものも包含される。筒状には、円筒が含まれる。
【００１５】
筒状のマンホールは、主として、その外周の壁部が、外形及び内形において、断面で見て、略円形のものである。かかるマンホールを略円形マンホールと称する。略円形としては、円形の他、楕円形等が包含され、場合によっては、円に近似する形状で、矩形、多角形等や、これらの組合せの形状も包含される。
【００１６】
マンホールには、マンホール径に比して大きな径の削孔部を有するマンホールや薄壁構造型マンホールが包含される。マンホールは、代表的に、コンクリート製やレジンコンクリート製である。
【００１７】
（２）（削孔部）
削孔部は、マンホールの種々の位置に設けることができる。削孔部は、孔の大きさ、形状、形成手段等、特に制限されない。削孔部は、代表的に、略円形の孔として形成される。略円形には、上述のように、円形、楕円形等、円に近似する形状も包含される。削孔部は種々の方法によって作製することができる。
【００１８】
削孔部は、主として、マンホールを管と連通させるものである。連通させる管が下水道等の管の場合、削孔部はマンホールの側壁に開けられることが多い。断面が略円形のマンホールの側壁に削孔部が設けられる場合、削孔部の内面は、マンホールの側壁の湾曲に沿って３次元的に湾曲する。
【００１９】
（３）（管）
管は、特に制限されず、種々の種類、口径や形状、材質等からなるものが包含される。管は、主として、断面が略円形のものである。略円形には、上述の楕円形等、円に近似する形状のものが包含される。通常、マンホールの削孔部は、かかる管の外形に応じて設計される。管は、代表的に、下水道管である。
【００２０】
（４）（可とう継手）
可とう継手はマンホールと接続すべき管との接続部、主として、マンホールの削孔部の内面と接続すべき管との間に設けられる。マンホールは、削孔部において管と接続されるが、削孔部と管との間には、通常、可とう性や止水性等が要求されるため、止水可とう継手が用いられる。可とう継手は、従来から用いられる種々の継手でよい。
【００２１】
可とう継手は、代表的に、筒状である。かかる可とう継手を筒状可とう継手と称する。筒状とは、外周の壁部とその壁部に囲まれた内部空間を有する形状をいう。外周の壁部は、主として、外形及び内形において、断面で見て、略円形のものを指す。筒状には、円筒が含まれる。筒状可とう継手は、一端が削孔部の内面に固定され、他端は管の外面に固定される。
【００２２】
筒状可とう継手は、削孔側筒状部等を具えることができる。削孔側筒状部は、拡張バンドによって、マンホールの削孔部の内面に接続される。また、筒状可とう継手は、管側筒状部等を具えることができる。管側筒状部は、締結バンド等の接続具によって、管の外面に接続される。
【００２３】
締結バンドは、剛性体の材質からなることができ、剛性材料としては、ステンレス鋼、アルミニウム、防錆メッキ鋼、防錆被覆鋼材等の金属や、塩化ビニル樹脂、アクリロニトリルブタジエンスチレン（ＡＢＳ）樹脂や、ポリエチレンテレフタレート（ＰＥＴ又はＰＥＴＰ）等の硬質プラスチック、繊維強化プラスチック（ＦＲＰ）等の繊維補強プラスチック等からなる群より選ばれる少なくとも１種を用いることができる。これらの各材料は、腐食し難いので望ましい。
【００２４】
削孔側筒状部には、鍔部を設けることができる。鍔部は、可とう継手と削孔部との間の水密性を高めるのに用いることができる。鍔部は、複数設けることができ、マンホールの削孔部壁の内面側及び外面側の少なくとも１方に設けることができるが、好ましくは、マンホール内の流体の流れを妨げないように、削孔部壁の外面において設け、削孔部壁に接触させることができる。
【００２５】
削孔側筒状部は、削孔部の内面に沿うような湾曲形状を有することができる。かかる削孔側筒状部は、マンホール内の流体の流れ等を、妨げることなく、円滑にすることができる。
【００２６】
削孔側筒状部には、その内面に溝部を設けることができる。溝部は、断面が半円形等、拡張バンドを位置決めできるような形状を有することができる。溝部は、削孔側筒状部の内面の全周にわたって設けることができ、その際、全周にわたって、削孔部の内面に沿うような湾曲形状を有することができる。
【００２７】
拡張バンドは、少なくとも１部が溝部内に位置決めされた状態で拡径することができる。拡張バンドを溝部内で拡径させることができれば、拡張バンドが可とう継手上を無制限に滑る等の危険性を抑えることができ、また、削孔側筒状部をより一層安定した状態で削孔部の内面に接続し固定することができる。
【００２８】
筒状可とう継手は、削孔側筒状部と管側筒状部とを繋ぐ連結部等を具えることができる。連結部には、伸縮をより一層高める伸縮部を設けることができる。筒状可とう継手は、削孔側筒状部、管側筒状部及び連結部等を一体にして一体成形することができる。
【００２９】
可とう継手は、種々の材料から形成することができる。可とう継手は、代表的に、弾性体製、特に、ゴム製のものである。可とう継手の本体は、スチレン・ブタジエンゴム、エチレン・プロピレン・ジエン・ターポリマー（ＥＰＤＭ）、クロロプレンゴム（ＣＲ）等の合成ゴム、天然ゴム、及び軟質塩化ビニル樹脂、塩化ビニル系エラストマー、スチレン系熱可塑性エラストマー等からなる群より選ばれる少なくとも１種からなることができる。
【００３０】
（５）（拡張バンド）
拡張バンドは、マンホールの削孔部と可とう継手との接続に用いる。拡張バンドは、可とう継手の内面に配置され、拡径によって可とう継手を削孔部の内面に圧着させ、固定することができる。拡張バンドは、断面が略円形の棒状体により形成される環状部材と、この環状部材を拡径する拡径手段とを具えてなる。
【００３１】
（５−１）（環状部材）
環状部材において、環状とは、環のような形のことをいい、輪、螺旋等、それらの複合形状が含まれる。かかる形状は、可とう継手をマンホールの削孔部に密着性よく固定できる形状であればよい。環状部材は、少なくとも１ヶ所に切断部を有している。環状部材の切断部は、拡径手段によって、その隙間が拡大され、環状部材が拡径される。
【００３２】
環状部材は複数の切断部を有することができる。かかる場合、環状部材は複数のセグメントからなり、各セグメントを組み合せたものが、全体として、環状部材となる。かかる場合、環状部材の各セグメントの端部間の隙間を拡大して、環状部材を拡径することができる。
【００３３】
環状部材は、マンホールの削孔部の内面に沿うような湾曲形状を有する。かかる形状は、３次元的に湾曲した形状を包含する。かかる形状は、拡張バンドによって、可とう継手を削孔部の内面に安定した状態で接続するのに必要である。かかる形状は、予め、拡径前の環状部材が有するものでよく、拡径後に、削孔部の内面に沿うような形状となり、可とう継手を削孔部の内面に安定した状態で接続できるものでもよい。
【００３４】
円筒形等のマンホールの側壁に削孔部を形成する場合、その削孔部の内面は、平坦なコンクリート壁に孔を開けたような形態ではなく、円筒の左右部分と上下部分とで削孔部の内面が前後にずれる形状となる。かかる削孔部内面の形状は、マンホール径に比して大きな径の削孔部を有するマンホールにおいて顕著となる。かかる場合には、マンホールの削孔部の内面に沿うような湾曲形状を有する環状部材の利点が有効に働く。従来のように、拡張バンドが真円に近い２次元的な形状でしかない場合、マンホール削孔断面空間内に納まらず、はみ出し、拡張時及び拡張後等においては、バンドが抜け出ることがある。また、かかる拡張バンドの欠点は、薄壁構造型マンホール等においても顕著である。
【００３５】
（５−２）（棒状体）
環状部材は、断面が略円形の棒状体により形成される。断面が略円形は、主として、断面、特に、その外形が円形であることを指す。断面の外形は、円形の他、楕円形等が包含され、場合によっては、円に近似する形状で、矩形、多角形等や、これらの組合せの形状も包含される。棒状体は、例えば、中実構造のものであるが、管のような中空構造、多層構造等であってもよい。中空構造等の棒状体の場合には、その外形が断面略円形であればよい。
【００３６】
断面が略円形の棒状体は、環状部材を拡径して、可とう継手をマンホールの削孔部に接続する際、可とう継手を削孔部の内面に安定した状態で接続することができる。かかる棒状体は、環状部材の拡径によってねじれることが少なく、また、ねじれたとしても、断面が略円形の状態を保持し、安定した状態で拡径することができる。
【００３７】
また、かかる棒状体は、環状部材の拡径によってねじれたとしても、断面が略円形の棒状体として、安定した状態で、削孔部の内面に沿うことができ、また、可とう継手を削孔部の内面に沿って接続し、固定することができる。従来のように押圧面が平面の平板状のバンドでは、拡径の際、拡径によってねじれた場合等、可とう継手との接触部が平面でない部分が生じ、押圧面が平面である部分と平面でない部分とにおいて、拡張バンドの拡張力が不均一になって漏水等が発生したり、また、可とう継手に加わる応力の不均一によって、可とう性継手が破断したり、耐久性に問題が生じたりする。
【００３８】
棒状体は、前述したような、剛性材料、特に、硬質樹脂、硬質プラスチック、繊維補強プラスチック、腐食し難い金属類等から形成することができる。
【００３９】
（５−３）（拡径手段）
拡径手段は、環状部材の切断部の隙間を拡大し環状部材を拡径するものである。かかる拡径手段には、種々の拡張方法が包含され、環状部材の拡径状態を固定する手段も包含される。
【００４０】
拡径手段においては、特に制限されず、種々の拡張治具を用いることができる。拡張治具としては、例えば、拡張爪等の拡張部分を有するジャッキ等の拡張装置を用いることができる。かかる場合、環状部材の切断部の両端部には、拡張治具の拡張部分と係合する拡張用突起を設けることができる。
【００４１】
拡径手段としては、剛性ガイドを用いることができる。剛性ガイドは、環状部材の切断部の両端部を収め、拡張バンドの拡径の際、剛性ガイド内での各端部のしゅう動を可能にする。また、剛性ガイドは、環状部材の外周の欠落部分、特に、切断端部間の周線の欠落をその外周によって補うことができ、拡張バンドが所望の形状の状態に拡径するのを可能とし、拡張バンドの半径方向外側へのほぼ均一な拡張を可能とし、可とう継手をマンホールの削孔部に高い密着性で固定させることができる。
【００４２】
剛性ガイドは筒状体でよい。筒状は、上述したように、外周の壁部とその壁部に囲まれた内部空間を有する形状をいい、外周の壁部には、外面又は内面の少なくとも１方において、断面が、楕円形、矩形、多角形等のものや、これらの組合せのもの等が包含される。
【００４３】
剛性ガイドには、窓を設けることができ、かかる窓には、環状部材の切断部の両端部の隙間を拡大するための拡張治具を挿入することができる。かかる窓は、剛性ガイドの側面に設けることができ、かかる剛性ガイドは断面略Ｕ状のものでよい。断面略Ｕ字状とは、剛性ガイド自体は筒状体であり、その側面が帯状に欠落した形状である。断面略Ｕ字状には、断面が四角形の剛性ガイドの場合は、４つの側面のうち１つの側面が欠如した形態も含む。
【００４４】
拡径によって開いた環状部材の切断部の両端部は、特に制限されないが、適切な固定手段によって固定することができ、環状部材の拡径状態が保持される。固定手段としては、例えば、環状部材の切断部の両端部等に設けられる突起部等の固定部と、剛性ガイドに設けられる係止部とによる係合や、環状部材の切断部の両端部等に設けられる固定具用留め部とストッパー等のような固定具との組合せ等が挙げられる。
【００４５】
好ましくは、固定手段は、環状部材の切断部の両端部を固定具用留め部とし、各固定具用留め部の間の隙間にストッパー等のような固定具を挿入することである。この際、前述の剛性ガイドの窓を固定具挿入用に用いることができる。
【００４６】
上述の環状部材の拡張突起、剛性ガイド及び固定手段は、前述したような、剛性材料、特に、硬質樹脂、硬質プラスチック、繊維補強プラスチック、腐食し難い金属類等から形成することができる。
【００４７】
（６）（削孔部と可とう継手との接続）
上述の可とう継手は、上述の拡張バンド及び拡張手段によって、マンホールの壁厚や削孔径等に応じて、マンホールの削孔部の内面に接続される。
【００４８】
拡張バンドにおいて、環状部材は少なくとも１本からなることができ、複数本の環状部材を用いることもできる。複数本の環状部材を用いる場合、各環状部材を同時にか、又は別々に拡径することができ、各々の拡径状態を一体でか、又は別個に固定することができる。
【００４９】
図面を参照して、本発明をより一層詳細に説明する。
図１は本発明の１例の拡張バンドを示す斜視図である。図２（ａ）は図１の拡張バンドをＡ方向から見た平面図である。図２（ｂ）は図１の拡張バンドをＢ−Ｂ線で切断して見た正面図である。図２（ｃ）は図１の拡張バンドを図２（ａ）のＤ−Ｄ線で切断して見た断面図である。図３は本発明の１例の接続構造の縦断面図である。図４は図３の接続構造の横断面図である。図５は図４の接続構造の拡大図である。
【００５０】
図６（ａ）は１例の可とう継手の正面図である。図６（ｂ）は図６（ａ）の可とう継手の断面図である。図７は拡張前の拡張バンドと拡張冶具とを示す１例の図である。図８は拡張バンドを拡張する際の状態を示す１例の図である。図９は本発明の他の例の接続構造の横断面図である。
【００５１】
図１及び図２に示すように、１例の拡張バンド１は、断面が略円形の棒状体２Ａにより形成される環状部材２と、環状部材２を拡径する拡径手段３とを具えてなる。環状部材２は、少なくとも１ヶ所に切断部２Ｂを有する。環状部材２は、マンホールの削孔部の内面に沿うような湾曲形状を有する。拡張バンド１は、拡径手段３によって、環状部材２の切断部２Ｂの隙間が拡大し、環状部材２が拡径される。図１及び２では、拡張バンド１は、拡径の際には、剛性ガイド３Ａ内の環状部材２の切断部２Ｂ間にストッパー３Ｂが嵌込され、拡張状態が固定され、平面Ｃに対して上側に湾曲する。
【００５２】
拡張バンド１は、図１及び図２に示すように、環状部材２の切断部２Ｂの両端部に、拡張係止突起２Ｃを有することができ、拡張係止突起２Ｃの間が拡大することによって、環状部材２の切断部２Ｂの両端部が拡大され、環状部材２が拡径される。環状部材２の拡径状態は、環状部材２の切断部２Ｂの両端部の間のストッパー３Ｂによって保持することができる。
【００５３】
図３〜図５に示すように、１例の接続構造１１では、拡張バンド１は、円形マンホール１２の削孔部１２Ａの内面１２Ｂに、筒状可とう継手１３を固定する。また、筒状可とう継手１３は管１４と接続される。環状部材の棒状体２Ａは断面円形であり、かつ、環状部材２は、削孔部内面１２Ｂに沿った湾曲形状を有する。
【００５４】
この例の筒状可とう継手１３は、図５及び図６に詳細に示すように、削孔側円筒部１３Ａと管側円筒部１３Ｂとそれらを繋ぐ連結部１３Ｃを有する。また、削孔側円筒部１３Ａは、削孔部１２Ａの内面１２Ｂに沿った湾曲形状を有する。さらに、削孔側円筒部１３Ａは、環状部材２の形状と同形状のバンド受け半円形溝部１３Ｄを有する。拡張バンド１は、図５に示すように、半円形溝部１３Ｄ内で拡張固定することができる。
【００５５】
図１、図２、図４及び図５に示すように、この例の拡張バンド１には、環状部材２の切断部２Ｂの両端部に、断面略Ｕ字状の剛性ガイド３Ａを設ける。剛性ガイド３Ａ内で、少なくとも１本の環状部材２の切断部２Ｂの両端部が拡張され、拡張した切断部２Ｂの間にストッパー３Ｂが挿入され、拡張状態が固定される。
【００５６】
図３は、本発明の１実施例で、マンホール１２の削孔部１２Ａに、本発明の１例の拡張バンド１を用いて、筒状可とう継手１３を介して、取り付け管１４を接続した状態の縦断面図である。図４は、図３の横断面図を示すもので、筒状可とう継手１３が、断面が円形で、削孔部１２Ａの内面１２Ｂに沿った湾曲形状を有する拡張バンド１で拡張固定されている。
【００５７】
図５は、図４の横断面図の取付け部を拡大したもので、筒状可とう継手１３は、削孔側円筒部１３Ａと管側円筒部１３Ｂとこれらを繋ぐ連結部１３Ｃとを有しており、拡張バンド１は、断面が円形の棒状体２Ａの環状部材２からなり、マンホール１２の削孔部の内面１２Ｂに沿った湾曲形状を有し、筒状可とう継手１３の削孔側円筒部１３Ａは、拡張バンド１の拡張により、削孔部の内面１２Ｂに圧着され、拡張バンド１の切断部２Ｂ間にストッパー３Ｂが嵌込され、固定されている。管１４は、筒状可とう継手１３の管側円筒部１３Ｂ内に挿入され、締結バンド１５で締め付け固定されている。連結部１３Ｃには、伸縮部１３Ｅを設け、削孔側円筒部１３Ａには、鍔部１３Ｆを設け、管側円筒部１３Ｂには、締結バンド用鍔部を設けることができる。
【００５８】
図６は、筒状可とう継手１３の本体を示すもので、削孔側円筒部１３Ａには、拡張バンド１の環状部材２と同形状のバンド受け半円形溝部１３Ｄを有する。本発明の湾曲拡張バンドは、筒状可とう継手１３との接触点が拡張に伴い動くため、断面円形形状の棒状体から形成される環状部材からなる拡張バンドは、接触点が変化しても、拡張力が接触点に集中できるため、筒状可とう継手１３を均一に圧着し、安定した止水状態を得ることができる。また、筒状可とう継手１３の拡張バンドで圧着する削孔側円筒部１３Ａは、拡張バンドの接触点が拡張により変化しても、拡張バンドの断面形状と同形状のバンド受け半円形溝部１３Ｄが形成されておれば、拡張力を面で受けることができ、安定した拡張状態を維持できる。
【００５９】
図７は、拡張前の拡張バンド１とそれに適切な拡張冶具１６とを示す。拡張バンド１は、環状部材２の切断部２Ｂを中央部にし、その近傍部に、拡張係止突起２Ｃを有しており、断面Ｕ字状の剛性ガイド３Ａが、それらをしゅう動可能な状態で収容している。拡張冶具１６は、拡張係止突起２Ｃを係止する拡張ツメ１６Ａと拡張ツメ１６Ａを駆動させるためのジャッキ１６Ｂとを具える。
【００６０】
図８は、筒状可とう継手１３をマンホール１２の削孔部の内面１２Ｂに据え付け、図７に示すような拡張冶具１６で、拡張バンド１を拡張する前の状態を示す。筒状可とう継手１３の管側円筒部１３Ｃは、拡張冶具１６での拡張バンド１の取付作業ができ易いように、マンホール１２の内側に反転される。
【００６１】
図９は、他の例の接続構造２１を示すもので、筒状可とう継手２３の削孔側円筒部２３Ａが、２本の環状部材２４，２５を具える拡張バンド２７によって、マンホール１２の削孔部の内面１２Ｂに拡張固定されている状態を示す。環状部材を２本にすることで、より一層優れた止水性能を発揮することができる。拡径手段２６としては、双方の環状部材２４，２５を収容する剛性ガイド２６Ａと、双方の環状部材２４，２５を同時に拡張状態に保持するストッパー２６Ｂとを用いることができる。削孔側円筒部２３Ａには、各環状部材２４，２５を位置決めするための溝部２３Ｄを有することができる。
【００６２】
以上の説明から明らかなように、マンホールの削孔部に管を接続する際に、マンホールの壁厚が小さい場合や削孔径がマンホール径に比して大きい場合等には、通常の平面拡張バンドは適用できないが、本発明のように、断面形状が円形の棒状体で形成され、削孔面に沿った湾曲形状を有する環状部材を具える拡張バンドを使用すれば、安定した止水状態が得られる。また、筒状可とう継手の削孔側円筒部に、拡張バンドの断面と同形状のバンド受け円形溝部を形成すれば拡張状態が安定し優れた止水状態を維持することができる。
【産業上の利用可能性】
【００６３】
本発明の拡張バンドは、マンホールの壁厚が小さい場合やマンホール径に比して削孔径が大きい場合等、通常の拡張バンドが適用できない場合等の他、通常の拡張バンドが適用できる場合にも用いることができる。
【図面の簡単な説明】
【００６４】
【図１】本発明の１例の拡張バンドを示す斜視図である。
【図２】（ａ）は図１の拡張バンドをＡ方向から見た平面図であり、（ｂ）は図１の拡張バンドをＢ−Ｂ線で切断して見た正面図であり、（ｃ）は図１の拡張バンドを（ａ）のＤ−Ｄ線で切断して見た断面図である。
【図３】本発明の１例の接続構造の縦断面図である。
【図４】図３の接続構造の横断面図である。
【図５】図４の接続構造の拡大図である。
【図６】（ａ）は１例の可とう継手の正面図である。（ｂ）は（ａ）の可とう継手の断面図である。
【図７】拡張前の拡張バンドと拡張冶具とを示す１例の図である。
【図８】拡張バンドを拡張する際の状態を示す１例の図である。
【図９】本発明の他の例の接続構造の横断面図である。
【図１０】従来の１例のマンホールの構造の断面図である。
【図１１】従来の１例の拡張バンドの断面図である。
【図１２】従来の他の例のマンホール構造の断面図である。
【符号の説明】
【００６５】
１，２７  拡張バンド
２，２４，２５  環状部材
２Ａ  棒状体
２Ｂ  切断部
２Ｃ  拡張係止突起
３，２６  拡径手段
３Ａ，２６Ａ  剛性ガイド
３Ｂ，２６Ｂ  ストッパー
１１，２１  接続構造
１２  円形マンホール
１２Ａ  削孔部
１２Ｂ  削孔部の内面
１３，２３  筒状可とう継手
１３Ａ，２３Ａ  削孔側円筒部
１３Ｂ  管側円筒部
１３Ｃ  連結部
１３Ｄ，２３Ｄ  半円形溝部
１３Ｅ  伸縮部
１３Ｆ  鍔部
１４  管
１５  締結バンド
１６  拡張冶具
１６Ａ  拡張ツメ
１６Ｂ  ジャッキ
【図１】
2006152653.tif 000003
【図２】
2006152653.tif 000004
【図３】
2006152653.tif 000005
【図４】
2006152653.tif 000006
【図５】
2006152653.tif 000007
【図６】
2006152653.tif 000008
【図７】
2006152653.tif 000009
【図８】
2006152653.tif 000010
【図９】
2006152653.tif 000011
【図１０】
2006152653.tif 000012
【図１１】
2006152653.tif 000013
【図１２】
2006152653.tif 000014